(57)【要約】【課題】本発明の課題は、ネットワーク接続可能な電気機器の中古品が売買されたり、そのような中古品が別居家族に譲渡されたりする場合において、依然の所有者がその中古品の監視制御を行うことができなくすることである。【解決手段】本発明に係るリモートコントローラ付き電気機器２００は、電気機器２０１およびリモートコントローラＲＭＣを備える。電気機器は、通信インターフェイス２６０および記憶部２２０を有する。通信インターフェイスは、通信ネットワークＮＴＷを介してサーバ１００に通信接続可能である。記憶部には、サーバに自機が識別されるための識別情報Ｉｈが記憶される。リモートコントローラは、電気機器に付属するものであって、上記の通信ネットワークとは異なる通信方式を利用して電気機器のみと通信可能である。そして、リモートコントローラは、特定の操作がされることによって電気機器に対するサーバの識別を不能とする。【選択図】図１
2019068283.tif 000002
【特許請求の範囲】
【請求項１】
通信ネットワークを介してサーバに通信接続可能な通信インターフェイスと、前記サーバに自機が識別されるための識別情報を記憶する記憶部とを有する電気機器と、
前記電気機器に付属するリモートコントローラと
を備え、
前記リモートコントローラは、特定の操作をされることによって前記電気機器に対する前記サーバの識別を不能とする
リモートコントローラ付き電気機器。
【請求項２】
前記リモートコントローラは、ボタンを有し、
前記特定の操作は、前記ボタンの長押し又は長引きである
請求項１に記載のリモートコントローラ付き電気機器。
【請求項３】
前記リモートコントローラは、開閉カバーをさらに有し、
前記ボタンは、前記開閉カバーにより覆い隠すことができる
請求項２に記載のリモートコントローラ付き電気機器。
【請求項４】
前記特定の操作は、押し時間又は引き時間の異なる前記ボタンの複数回の長押し又は長引きである
請求項２または３に記載のリモートコントローラ付き電気機器。
【請求項５】
前記通信インターフェイスは、無線ネットワークアダプタであり、
前記特定の操作前において前記無線ネットワークアダプタがオン状態である場合、最後の長押し前の長押し中または最後の長引き前の長引き中において前記無線ネットワークアダプタがオフ状態とされ、前記特定の操作前において前記無線ネットワークアダプタがオフ状態である場合、最後の長押し前の長押し中または最後の長引き前の長引き中において前記無線ネットワークアダプタがオン状態とされる、
請求項４に記載のリモートコントローラ付き電気機器。
【請求項６】
前記特定の操作前において前記無線ネットワークアダプタがオフ状態である場合において前記無線ネットワークアダプタがオン状態とされた後、前記無線ネットワークアダプタと無線ルータとの接続設定通信が開始され、
前記最後の長押し中においても前記接続設定通信は継続的に実行される
請求項５に記載のリモートコントローラ付き電気機器。
【発明の詳細な説明】
【技術分野】
【０００１】
本発明は、リモートコントローラ付き電気機器に関する。
【背景技術】
【０００２】
近年、家庭に設置される複数の電気機器がインターネット等の広域ネットワークに通信接続することが可能となっている。そして、この通信環境によって、スマートフォン等の情報端末からサーバ等を介してそれらの電気機器を監視・制御することが行われている（例えば、特開２００１−３０９４６４号公報等参照）。
【０００３】
スマートフォン等の情報端末機器からサーバを介して電気機器を監視・制御するには、情報端末機器、サーバおよび電気機器を関連付けるペアリング処理が必要となる。通常、ペアリング情報はサーバに保存されている。
【先行技術文献】
【特許文献】
【０００４】
【特許文献１】特開２００１−３０９４６４号公報（要約等参照）
【発明の概要】
【発明が解決しようとする課題】
【０００５】
ところで、最近、このようなネットワーク接続可能な電気機器の中古品が売買されたり、そのような中古品が別居家族に譲渡されたりする場合がある。このような場合において上記のペアリング情報が維持されていると、その中古品の以前の所有者が、依然としてその中古品の監視制御を行い得るおそれがある。
【０００６】
本発明の課題は、ネットワーク接続可能な電気機器の中古品が売買されたり、そのような中古品が別居家族に譲渡されたりする場合において、以前の所有者がその中古品の監視制御を行うことができなくすることである。
【課題を解決するための手段】
【０００７】
本発明の一局面に係るリモートコントローラ付き電気機器は、電気機器およびリモートコントローラを備える。電気機器は、通信インターフェイスおよび記憶部を有する。通信インターフェイスは、通信ネットワークを介してサーバに通信接続可能である。なお、ここで、通信ネットワークは、インターネット等であって、無線ＬＡＮ（ＷｉＦｉ（登録商標）等）や有線ＬＡＮを通信接続して構築された広域のネットワークである。記憶部には、識別情報が記憶される。なお、この識別情報は、サーバに自機が識別されるためのものであって、過去にサーバから付与されたものであってもよいし、出荷時に付与されたものであってもよい。リモートコントローラは、電気機器に付属するものであって、上記の通信ネットワークとは異なる通信方式（例えば、赤外線通信方式や電波通信方式等）を利用して電気機器のみと通信可能なものである。この通信は、リモートコントローラから電気機器への一方向通信であってもよいし、リモートコントローラと電気機器との双方向通信であってよい。そして、リモートコントローラは、特定の操作をされることによって電気機器に対するサーバの識別を不能とする。なお、ここで、「リモートコントローラが電気機器に対するサーバの識別を不能する」とは、例えば、リモートコントローラの命令に従って、電気機器が、記憶部中の自機の識別情報の全部または一部を削除することや、同識別情報を他の情報に上書き（変更）すること、同識別情報を初期化すること、同識別情報に他の情報を付加して他の識別情報とすること等である。
【発明の効果】
【０００８】
上述の通り、本発明の一局面に係るリモートコントローラ付き電気機器では、新たな所有者または以前の所有者等がリモートコントローラにおいて特定の操作をすることによって電気機器に対するサーバの識別を不能とする。このため、このリモートコントローラ付き電気機器の中古品を購入した新たな所有者や、このリモートコントローラ付き電気機器の中古品を譲り受けた新たな所有者は、以前の所有者がその中古品の監視制御を行うことができなくすることができる。
【図面の簡単な説明】
【０００９】
【図１】第１の実施の形態にかかるリモートコントローラ付きエアコンの説明の前提となる家電管理システムの全体構成と動作概要を示すイメージ図である。
【図２】家電管理システムを構成するサーバのメモリに記憶されるユーザ−家電関係管理テーブルのイメージ図である。
【図３】サーバの構成の一態様について説明するためのイメージ図である。
【図４】家電管理システムのサーバのメモリに記憶されるユーザ−通信端末関係管理テーブルのイメージ図である。
【図５】第１の実施の形態にかかるリモートコントローラ付きエアコンの構成の一態様について説明するためのイメージ図である。
【図６】第１の実施の形態にかかるエアコン本体のメモリに記憶される家電端末ＩＤ情報およびユーザＩＤ情報のイメージ図である。
【図７】第１の実施の形態にかかるリモートコントローラの正面図である。本図では、開閉カバーが閉状態とされている。
【図８】第１の実施の形態にかかるリモートコントローラの正面図である。本図では、開閉カバーが開状態とされている。
【図９】家電管理システムを構成するスマートフォンの構成の一態様について説明するためのイメージ図である。
【図１０】第１の実施の形態にかかるリモートコントローラ付きエアコンの初期化処理中における無線ネットワークアダプタのオン・オフ状態をまとめた表である。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
−第１の実施の形態−
＜前提＞
本実施の形態に係るリモートコントローラ付きエアコンの機能を説明しやすくするために、先ず、インターネットやルータなどを含む通信ネットワークを介してリモートコントローラ付きエアコンがサーバに通信接続されている態様について説明する。
【００１２】
（１）家電管理システムの全体構成と動作概要
まず、図１を参照して、前提となる家電管理システム１の全体構成について説明する。家電管理システム１は、主に、サーバ１００と、インターネットやルータなどを含む通信ネットワークＮＴＷを介してサーバ１００に接続可能な家庭用電気機器２００，３００と、インターネットやルータなどを含む通信ネットワークＮＴＷを介してサーバ１００に接続可能なスマートフォン４００などの通信端末（携帯端末）から構成される。なお、ここで、符号２００で示される家庭用電気機器はエアコン（空気調和機）であり、符号３００で示される家庭用電気機器は空気清浄機である。
【００１３】
次に、図１を参照して、家電管理システム１の動作概要について説明する。ユーザＵＳがスマートフォン４００において家電管理アプリを起動させると、スマートフォン４００は、サーバ１００に対して、ユーザＩＤ情報Ｉｕ（図２や図３参照）を送信すると共に、そのユーザＩＤ情報Ｉｕに対応する家電端末ＩＤ情報Ｉｈを要求する要求信号を送信する。サーバ１００は、ユーザＩＤ情報Ｉｕおよび要求信号を受信すると、そのユーザＩＤ情報Ｉｕを、図２に示されるユーザ−家電関係管理テーブルＴｍ１に照らし合わせてそのユーザＩＤ情報Ｉｕに対応する家電端末ＩＤ情報Ｉｈを取得してスマートフォン４００に送信する。なお、本実施の形態にかかるユーザ−家電関係管理テーブルＴｍ１では、ユーザＩＤ情報Ｉｕに対して家電端末ＩＤ情報Ｉｈが紐づけられている。また、このユーザ−家電関係管理テーブルＴｍ１は、スマートフォン４００と、インターネットやルータなどを含む通信ネットワークＮＴＷを介してサーバ１００に接続可能な家庭用電気機器２００，３００との間でペアリング操作等が行われることによってサーバ１００上で作成される。また、家電管理システム１では、家電端末ＩＤ情報Ｉｈは、上記ペアリング操作時においてサーバ１００から各家庭用電気機器２００，３００に対して割り当てられるようになっている。ところで、ユーザ−家電関係管理テーブルＴｍ１において、家電端末ＩＤ情報Ｉｕに「ＡＣＮ」の文字情報が含まれているものはエアコン２００の家電端末ＩＤ情報であり、「ＡＣＬ」の文字情報が含まれているものは空気清浄機３００の家電端末ＩＤ情報である。
【００１４】
そして、このような家電管理システム１において、ユーザＵＳは、スマートフォン４００の家電管理アプリを利用して各家庭用電気機器２００，３００に対して種々の命令をすることができる。なお、スマートフォン４００から各家庭用電気機器２００，３００に対して種々の命令が送信される際、スマートフォン４００は、家電端末ＩＤ情報Ｉｕを利用して、命令送信対象となる家庭用電気機器２００，３００を識別している。
【００１５】
（２）サーバのハードウェア構成
図３を参照して、家電管理システム１を構成するサーバ１００のハードウェア構成の一態様について説明する。サーバ１００は、主に、ＣＰＵ（Central Processing Unit）１１０、メモリ１２０、ディスプレイ１３０、操作部１４０および通信インターフェイス１６０から構成されている。
【００１６】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１７】
メモリ１２０は、各種のＲＡＭ（Random  Access  Memory）、各種のＲＯＭ（Read-Only  Memory）などによって実現される。メモリ１２０は、ＣＰＵ１１０によって実行されるプログラムや、ＣＰＵ１１０によるプログラムの実行により生成されたデータ、入力されたデータ、ユーザ−家電関係管理テーブルＴｍ１（図２参照）、ユーザ−通信端末関係管理テーブルＴｍ２（図４参照）、その他の家電管理サービスに利用されるテーブル（データベース）などを記憶する。なお、これらのテーブルなどの情報は、サーバ１００に格納されているが、サーバ１００がアクセス可能な他の装置に格納されてもよい。
【００１８】
図４は、ユーザ−通信端末関係管理テーブルＴｍ２のイメージ図である。ユーザ−通信端末関係管理テーブルＴｍ２では、ユーザＵＳ毎に、主に、ユーザＩＤ情報Ｉｕ、ユーザ名情報Ｉｎおよび通信端末ＩＤ情報Ｉｃが紐づけられている。
【００１９】
図３に戻って、ディスプレイ１３０は、ＣＰＵ１１０からの信号に基づいて、テキストや画像を表示する。操作部１４０は、サービスの管理者などの命令を受け付けて、当該命令をＣＰＵ１１０に入力する。
【００２０】
通信インターフェイス１６０は、ＣＰＵ１１０からのデータを、インターネット、キャリア網、ルータなどを含む通信ネットワークＮＴＷを介して、家庭用電気機器２００，３００や、スマートフォン４００などの他の装置に送信する。逆に、通信インターフェイス１６０は、インターネット、キャリア網、ルータなどを含む通信ネットワークＮＴＷを介して家庭用電気機器２００，３００やスマートフォン４００などの他の装置からのデータを受信して、ＣＰＵ１１０に受け渡す。
【００２１】
（３）リモートコントローラ付きエアコンのハードウェア構成
図５を参照して、家電管理システム１を構成するリモートコントローラ付きエアコン２００のハードウェア構成の一態様について説明する。本実施の形態にかかるリモートコントローラ付きエアコン２００は、一体型、セパレート型、マルチ室内機型等のエアコンであって、エアコン本体２０１およびリモートコントローラＲＭＣから構成されている。なお、リモートコントローラＲＭＣは、エアコン本体２０１と共に梱包されていることが多い。
【００２２】
エアコン本体２０１は、図５に示されるように、主に、ＣＰＵ２１０、メモリ２２０、ディスプレイ２３０、操作部２４０、時計（タイマ）２５０、通信インターフェイス２６０、スピーカー２７０、赤外線受光部２８０および機器駆動部２９０から構成されている。
【００２３】
ＣＰＵ２１０は、メモリ２２０あるいは外部の記憶媒体に記憶されているプログラムを実行することによって、エアコン本体２０１の各部を制御する。
【００２４】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、操作部２４０を介して入力されたデータ、リモートコントローラＲＭＣから受信したデータ、インターネットやルータなどを含む通信ネットワークＮＴＷを介してサーバ１００から受信したデータなどを記憶する。なお、本実施の形態において、メモリ２２０は、図６に示される家電端末ＩＤ情報ＩｈおよびユーザＩＤ情報Ｉｕを記憶している。家電端末ＩＤ情報ＩｈおよびユーザＩＤ情報Ｉｕは、ペアリング操作時においてサーバ１００から付与されている。
【００２５】
ディスプレイ２３０は、ＣＰＵ２１０からの信号に基づいて、文字や画像などを出力する。なお、ディスプレイ２３０は、単にライトであってもよいし、あるいは、ＬＥＤなどからなる表示部であってもよい。
【００２６】
操作部２４０は、ボタン、タッチパネルなどによって実現され、ユーザＵＳからの命令を受け付けて、当該命令をＣＰＵ２１０に入力する。なお、ディスプレイ２３０と操作部２４０とは、タッチパネルを構成してもよい。
【００２７】
時計２５０は、現在時刻をＣＰＵ２１０に入力したり、指定されたタイミングからの経過時間を計測したりする。
【００２８】
通信インターフェイス２６０は、無線ＬＡＮまたは有線ＬＡＮなどの通信モジュールによって実現される。通信インターフェイス２６０は、有線通信あるいは無線通信によって他の装置との間でデータをやり取りする。すなわち、ＣＰＵ２１０は、通信インターフェイス２６０を介して、サーバ１００などの他の装置から各種の情報を受信したり、当該他の装置に各種の情報を送信したりする。
【００２９】
スピーカー２７０は、ＣＰＵ２１０からの音声信号に基づいて、音声や、音、メロディー等を出力する。
【００３０】
赤外線受光部２８０は、リモートコントローラＲＭＣからの赤外線信号を受信してデジタル信号に変換し、ＣＰＵ２１０にそのデジタル信号を入力する。たとえば、ＣＰＵ２１０は、赤外線受光部２８０を介して、リモートコントローラＲＭＣから電源のオン・オフ命令、その他の制御命令や各種データなどを受け付ける。
【００３１】
機器駆動部２９０は、ＣＰＵ２１０からの信号に基づいて、電気素子の各部（モータやヒータなど）を制御する。本実施の形態にかかるエアコン本体２０１では、ＣＰＵ２１０は、例えば、通信インターフェイス２６０を介して送信されてくる制御信号を受信し、その制御信号に基づいて機器駆動部２９０を制御する。
【００３２】
本実施の形態にかかるリモートコントローラＲＭＣは、図７および図８に示されるように、主に、本体部２１、開閉カバー２２、ディスプレイＤＳＰ、外部ボタン群Ｂｏｐおよび内部ボタン群Ｂｉｐから構成されている。本体部２１には、マイクロコンピュータや、メモリや、赤外線発信部等が内蔵されている。開閉カバー２２は、本体部２１の下端にヒンジ結合されている。ディスプレイＤＳＰには、設定温度や、設定風向、各種機能のオン・オフ状態等が表示される。外部ボタン群Ｂｏｐは、開閉カバー２２の上側の本体部２１の外装部位に配設されている。内部ボタン群Ｂｉｐは、図８に示されるように、開閉カバー２２の内側に配設されている。すなわち、開閉カバー２２が閉状態とされている場合、ユーザＵＳは、内部ボタン群Ｂｉｐ中のボタンを押圧することができない。ユーザＵＳは、外部ボタン群Ｂｏｐおよび内部ボタン群Ｂｉｐ中の所望のボタンを押圧することによってエアコン本体２０１に所望の命令を送信することができる。ところで、内部ボタン群Ｂｉｐには、メニューボタンＢｍが含まれている。このメニューボタンＢｍには、ディスプレイＤＳＰに操作メニューを表示させる機能（以下「操作メニュー表示機能」という。）が割り当てられているのみならず、無線ＬＡＮまたは有線ＬＡＮなどの通信モジュールのオン・オフ機能（以下「通信モジュールオン・オフ機能」という。）およびサーバとの関係解消機能（以下「サーバ関係解消機能」という。）が割り当てられている。サーバ関係解消機能は、リモートコントローラ付きエアコン２００が他人に譲渡された場合に、元の所有者によるリモートコントローラ付きエアコン２００の制御や監視等を防ぐためのものである。なお、これらの機能の詳細については後述する。
【００３３】
（４）スマートフォンのハードウェア構成
図９を参照して、スマートフォン４００などの通信端末（携帯端末）のハードウェア構成の一態様について説明する。スマートフォン４００は、主に、ＣＰＵ４１０、メモリ４２０、ディスプレイＤＳＰ、操作部４４０、通信インターフェイス４６０およびＧＰＳ（Global Positioning System）機能４９０を含む。
【００３４】
ＣＰＵ４１０は、メモリ４２０に記憶されているプログラムを実行することによって、スマートフォン４００の各部を制御する。たとえば、ＣＰＵ４１０は、メモリ４２０に格納されているプログラムを実行し、各種のデータを参照することによって、後述する各種の処理を実行する。
【００３５】
メモリ４２０は、各種のＲＡＭや各種のＲＯＭなどによって実現される。メモリ４２０は、ＣＰＵ４１０によって実行されるプログラムや、ＣＰＵ４１０によるプログラムの実行により生成されたデータ、入力されたデータ、その他の家電管理サービスに利用されるテーブル（データベース）などを記憶する。
【００３６】
ディスプレイＤＳＰは、ＣＰＵ４１０からの信号に基づいて、テキストや画像を表示する。操作部４４０は、ユーザＵＳなどの命令を受け付けて、当該命令をＣＰＵ４１０に入力する。
【００３７】
通信インターフェイス４６０は、ＣＰＵ４１０からのデータを、インターネット、キャリア網、ルータなどを含む通信ネットワークＮＴＷを介して、サーバ１００や家庭用電気機器２００，３００などの他の装置に送信する。逆に、通信インターフェイス４６０は、インターネット、キャリア網、ルータなどを含む通信ネットワークＮＴＷを介して当該他の装置からのデータを受信して、ＣＰＵ４１０に受け渡す。例えば、ＣＰＵ４１０は、通信インターフェイス４６０を介してサーバ１００から受信したデータに基づいてディスプレイＤＳＰに画像やテキストを表示し、操作部４４０を介してユーザＵＳから受け付けた指示を、通信インターフェイス４６０を介してサーバ１００に送信する。
【００３８】
ＧＰＳ機能４９０は、磁石や加速度センサなどを含み、スマートフォン４００自身の現在位置の計測に必要なデータを取得してＣＰＵ４１０に入力する。たとえば、ＣＰＵ４１０は、通信インターフェイス４６０を介して現在位置情報をサーバ１００に提供する。
【００３９】
＜リモートコントローラＲＭＣにおける通信モジュールオン・オフ機能およびサーバ関係解消機能の詳細説明＞
上述の説明を前提として、以下、リモートコントローラＲＭＣにおける通信モジュールオン・オフ機能およびサーバ関係解消機能について詳述する。なお、具体的な説明を行うために、「無線ＬＡＮまたは有線ＬＡＮなどの通信モジュール」を「無線ネットワークアダプタ」とする。
【００４０】
上述の通り、リモートコントローラＲＭＣのメニューボタンＢｍには、操作メニュー表示機能、通信モジュールオン・オフ機能およびサーバ関係解消機能が割り当てられている。操作メニュー表示機能、ユーザＵＳによってメニューボタンＢｍが押圧された後に直ぐに押圧が解除されることによって発現する。通信モジュールオン・オフ機能は、ユーザＵＳによってメニューボタンＢｍが第１所定時間（本実施の形態では一例として３秒で説明する。）以上長押しされることによって発現する。ここで、無線ネットワークアダプタがオン状態のときに、通信モジュールオン・オフ機能が発現されると、無線ネットワークアダプタがオフとなり、無線ネットワークアダプタがオフ状態のときに、通信モジュールオン・オフ機能が発現されると、無線ネットワークアダプタがオンとなる。サーバ関係解消機能は、ユーザＵＳによってメニューボタンＢｍが第２所定時間（本実施の形態では一例と１０秒で説明する。なお、第２所定時間は、第１所定時間と同じ時間であってもよいし、第１所定時間よりも長い時間であってもよいし、第１所定時間よりも短い時間であってもよい。）以上長押しされた後、再びメニューボタンＢｍが３秒以上長押しされることによって発現する。なお、通信モジュールオン・オフ機能およびサーバ関係解消機能は、エアコン本体２０１が通信ネットワークＮＴＷを介してサーバ１００に通信接続されていなくても実行可能となっている。
【００４１】
以下、メニューボタンＢｍが１０秒以上長押しされた後、再びメニューボタンＢｍが３秒以上長押しされたときの情報処理について詳述する。
【００４２】
先ず、メニューボタンＢｍが押圧されてから３秒が経過すると、通信モジュールオン・オフ機能が発現され、リモートコントローラＲＭＣからエアコン本体２０１に向かって発停命令信号が赤外線送信される。なお、通信モジュールオン・オフ機能の発現時において、無線ネットワークアダプタがオン状態である場合、リモートコントローラＲＭＣからエアコン本体２０１に向かって、無線ネットワークアダプタをオフするための命令信号が送信され（すなわち、無線ネットワークアダプタがオフされ）、無線ネットワークアダプタがオフ状態である場合、リモートコントローラＲＭＣからエアコン本体２０１に向かって、無線ネットワークアダプタをオンするための命令信号が送信される（すなわち、無線ネットワークアダプタがオンされる）。後者の場合、ＷＰＳの準備が開始される。
【００４３】
メニューボタンＢｍが押圧されてから３秒経過後、さらに継続して７秒間メニューボタンＢｍが押圧され続ける（すなわち、計１０秒間メニューボタンＢｍが押圧され続ける）と、リモートコントローラＲＭＣからエアコン本体２０１に向かって、初期化確認モード移行命令信号が赤外線送信される。この初期化確認モード移行命令信号を受信したエアコン本体２０１は、自身を初期化確認モードに移行させる。初期化確認モードに移行したエアコン本体２０１は、「初期化する場合は３秒間メニューボタンを押してください。」と発話する。
【００４４】
上記発話後、ユーザＵＳがメニューボタンＢｍの押圧を一旦解除してから再びメニューボタンＢｍを押圧すると、その押圧から３秒後、リモートコントローラＲＭＣからエアコン本体２０１に向かって初期化実行命令信号が赤外線送信される。この初期化実行命令信号を受信したエアコン本体２０１は、メモリ２２０中の家電端末ＩＤ情報Ｉｈを初期化する。（すなわち、メモリ２２０中の家電端末ＩＤ情報Ｉｈを初期の情報に書き換える。）。なお、このとき、エアコン本体２０１は、無線ネットワークアダプタがオン状態である場合、オン状態を継続し、無線ネットワークアダプタがオフ状態である場合、無線ネットワークアダプタをオンにする。
【００４５】
エアコン本体２０１は、初期化に成功した場合、無線ネットワークアダプタをオフにすると共に、「初期化しました。」と発話する。この初期化に成功すると、サーバ１００がエアコン本体２０１を識別することができなくなり、その後、スマートフォン４００によるエアコン本体２０１の監視・制御が一切不能となる。一方、初期化に失敗した場合、エアコン本体２０１は、リトライ時間（本実施の形態では一例として１分間）リトライを継続するが、１分を過ぎるとリトライを打ち切って「初期化に失敗しました。」と発話する。このとき、エアコン本体２０１は、無線ネットワークアダプタのオン・オフ状態を初期化操作開始前（すなわち、メニューボタンＢｍの１０秒押圧前）の状態に戻す（すなわち、初期化操作開始前において無線ネットワークアダプタがオン状態であった場合、オン状態を継続し、オフ状態であった場合、無線ネットワークアダプタをオフにする。）。
【００４６】
一方、メニューボタンＢｍが１０秒以上長押しされた後、無線ネットワークアダプタがオフ状態となっている場合において、一定時間（本実施の形態では一例として２分間）、３秒以上のメニューボタンＢｍの長押しが確認されなかったときは、エアコン本体２０１は、「初期化に失敗しました。」と発話すると共に、無線ネットワークアダプタをオン状態とする。また、メニューボタンＢｍが１０秒以上長押しされた後、無線ネットワークアダプタがオン状態となっている場合において、１分５３秒間、３秒以上のメニューボタンＢｍの長押しが確認されなかったときは、エアコン本体２０１は、ＷＰＳ（Wi-Fi Protected Setup）の待機状態を中止する。そして、さらにその後、７秒間、３秒以上のメニューボタンＢｍの長押しが確認されなかったとき、エアコン本体２０１は、無線ネットワークアダプタをオフにする。
【００４７】
なお、上述の各状況における無線ネットワークアダプタのオン・オフ状態は図１０中の表に示される通りである。
【００４８】
−第２の実施の形態−
第２の実施の形態にかかるサーバ関係解消機能は、初期化実行命令信号が送信されるまでのメニューボタンＢｍの操作方法でのみ第１の実施の形態にかかるサーバ関係解消機能と相違する。このため、本実施の形態にかかるサーバ関係解消機能については、この点についてのみ説明を行う。
【００４９】
本実施の形態に係るサーバ関係解消機能では、メニューボタンＢｍが５秒以上長押しされたとき、リモートコントローラＲＭＣからエアコン本体２０１に向かって初期化確認モード移行命令信号が赤外線送信され、メニューボタンＢｍの押圧が一旦解除された後にメニューボタンＢｍがさらに２秒以上長押しされたとき、リモートコントローラＲＭＣからエアコン本体２０１に向かって初期化実行命令信号が赤外線送信される。
【００５０】
なお、メニューボタンＢｍの押圧下限時間やそのパターンに特に制限はない。例えば、最初のメニューボタンＢｍの押圧下限時間を、後のメニューボタンＢｍの押圧下限時間より短くしてもよいし、後のメニューボタンＢｍの押圧下限時間と同じ時間にしてもよい。
【００５１】
−第３の実施の形態−
第３の実施の形態にかかるサーバ関係解消機能は、初期化実行命令信号が送信されるまでのメニューボタンＢｍの操作方法でのみ第１の実施の形態にかかるサーバ関係解消機能と相違する。このため、本実施の形態にかかるサーバ関係解消機能については、この点についてのみ説明を行う。
【００５２】
本実施の形態に係るサーバ関係解消機能では、メニューボタンＢｍが１０秒以上長押しされたとき、リモートコントローラＲＭＣからエアコン本体２０１に向かって初期化確認モード移行命令信号ではなく初期化実行命令信号が赤外線送信される。すなわち、メニューボタンＢｍの１０秒以上長押し操作のみで初期化が実行される。
【００５３】
なお、メニューボタンＢｍの押圧下限時間に特に制限はない。例えば、メニューボタンＢｍの押圧下限時間を４秒にしてもよいし、１７秒にしてもよい。
【００５４】
−第４の実施の形態−
第４の実施の形態にかかるサーバ関係解消機能は、初期化実行命令信号が送信されるまでのメニューボタンＢｍの操作方法でのみ第１の実施の形態にかかるサーバ関係解消機能と相違する。このため、本実施の形態にかかるサーバ関係解消機能については、この点についてのみ説明を行う。
【００５５】
本実施の形態に係るサーバ関係解消機能では、メニューボタンＢｍが１０秒以上長押し後にリモートコントローラＲＭＣからエアコン本体２０１に向かって第１初期化確認モード移行命令信号が送信される。次に、ユーザＵＳがメニューボタンＢｍの押圧を一旦解除してから再びメニューボタンＢｍを押圧すると、その押圧から３秒後、リモートコントローラＲＭＣからエアコン本体２０１に向かって、第２初期化確認モード移行命令信号が赤外線送信される。そして、この第２初期化確認モード移行命令信号を受信したエアコン本体２０１は、自身を初期化確認モードに移行させる。そして、ユーザＵＳがメニューボタンＢｍの押圧を一旦解除してから再びメニューボタンＢｍを押圧すると、その押圧から３秒後、リモートコントローラＲＭＣからエアコン本体２０１に向かって、初期化実行命令信号が赤外線送信される。すなわち、初期化実行までに１０秒以上のメニューボタンＢｍの長押し操作、３秒以上のメニューボタンＢｍの長押し操作、さらに３秒以上のメニューボタンＢｍの長押し操作を要する。
【００５６】
なお、メニューボタンＢｍの押圧下限時間やそのパターンに特に制限はない。例えば、最初のメニューボタンＢｍの押圧下限時間を、２回目のメニューボタンＢｍの押圧下限時間を短くしてもよいし、同じ時間にしてもよい。また、例えば、２回目のメニューボタンＢｍの押圧下限時間を、３回目のメニューボタンＢｍの押圧下限時間を短くしてもよいし、長くしてもよい。
【００５７】
−第５の実施の形態−
第５の実施の形態にかかるサーバ関係解消機能は、家電端末ＩＤ情報Ｉｈに対する処理方法でのみ第１の実施の形態にかかるサーバ関係解消機能と相違する。このため、本実施の形態にかかるサーバ関係解消機能については、この点についてのみ説明を行う。
【００５８】
本実施の形態に係るサーバ関係解消機能では、ユーザＵＳがメニューボタンＢｍの１０秒以上の押圧を一旦解除してから再びメニューボタンＢｍを３秒間押圧し続けると、リモートコントローラＲＭＣからエアコン本体２０１に向かって削除実行信号が赤外線送信される。この削除実行信号を受信したエアコン本体２０１は、メモリ２２０中の家電端末ＩＤ情報Ｉｈを削除する。なお、この削除処理は、情報の一部削除処理であってもよい全部削除処理であってもよい。
【００５９】
なお、本実施の形態に係るサーバ関係解消機能には、第２〜第４の実施の形態にかかるサーバ関係解消機能の例が適用されてもよい。
【００６０】
−第６の実施の形態−
第６の実施の形態にかかるサーバ関係解消機能は、家電端末ＩＤ情報Ｉｈに対する処理方法でのみ第１の実施の形態にかかるサーバ関係解消機能と相違する。このため、本実施の形態にかかるサーバ関係解消機能については、この点についてのみ説明を行う。
【００６１】
本実施の形態に係るサーバ関係解消機能では、ユーザＵＳがメニューボタンＢｍの１０秒以上の押圧を一旦解除してから再びメニューボタンＢｍを３秒間押圧し続けると、リモートコントローラＲＭＣからエアコン本体２０１に向かって上書き実行信号が赤外線送信される。この上書き実行信号を受信したエアコン本体２０１は、メモリ２２０中の家電端末ＩＤ情報Ｉｈを他の情報に上書きする。なお、この上書き処理は、情報の一部上書き処理であってもよい全部上書き処理であってもよい。なお、上書きする情報は、サーバとの関係が解消されたことを示す情報やそのような情報を含む情報であってもよいし、次回のペアリング操作時に必要となる情報やそのような情報を含む情報等であってよい。
【００６２】
なお、本実施の形態に係るサーバ関係解消機能には、第２〜第４の実施の形態にかかるサーバ関係解消機能の例が適用されてもよい。
【００６３】
−第７の実施の形態−
第７の実施の形態にかかるサーバ関係解消機能は、家電端末ＩＤ情報Ｉｈに対する処理方法でのみ第１の実施の形態にかかるサーバ関係解消機能と相違する。このため、本実施の形態にかかるサーバ関係解消機能については、この点についてのみ説明を行う。
【００６４】
本実施の形態に係るサーバ関係解消機能では、ユーザＵＳがメニューボタンＢｍの１０秒以上の押圧を一旦解除してから再びメニューボタンＢｍを３秒間押圧し続けると、リモートコントローラＲＭＣからエアコン本体２０１に向かって情報付加実行信号が赤外線送信される。この情報付加実行信号を受信したエアコン本体２０１は、メモリ２２０中の家電端末ＩＤ情報Ｉｈに他の情報に付加する。なお、付加する情報は、サーバとの関係が解消されたことを示す情報やそのような情報を含む情報であってもよいし、次回のペアリング操作時に必要となる情報やそのような情報を含む情報等であってよい。
【００６５】
なお、本実施の形態に係るサーバ関係解消機能には、第２〜第４の実施の形態にかかるサーバ関係解消機能の例が適用されてもよい。
【００６６】
−第８の実施の形態−
第８の実施の形態にかかるサーバ関係解消機能は、使用するボタンでのみ第１の実施の形態にかかるサーバ関係解消機能と相違する。このため、本実施の形態にかかるサーバ関係解消機能については、この点についてのみ説明を行う。
【００６７】
本実施の形態に係るサーバ関係解消機能では、スライドボタンが利用される。具体的には、スライドボタンが１０秒以上特定方向に移動された状態に保持されたとき（例えば、長引きや長押しされたとき）、リモートコントローラＲＭＣからエアコン本体２０１に向かって初期化確認モード移行命令信号が赤外線送信され、スライドボタンＢｍが一旦元の位置に戻された後にさらに３秒以上特定方向に移動された状態に保持されたとき、リモートコントローラＲＭＣからエアコン本体２０１に向かって初期化実行命令信号が赤外線送信される。
【００６８】
なお、スライドボタンの保持下限時間やそのパターンに特に制限はない。例えば、最初のスライドボタンの保持下限時間を、後のスライドボタンの保持下限時間より短くしてもよいし、後のスライドボタンの保持下限時間と同じ時間にしてもよい。
【００６９】
また、本実施の形態に係るサーバ関係解消機能には、第２〜第７の実施の形態にかかるサーバ関係解消機能の例が適用されてもよい。
【００７０】
−第９の実施の形態−
第９の実施の形態にかかるサーバ関係解消機能は、使用するボタンでのみ第１の実施の形態にかかるサーバ関係解消機能と相違する。このため、本実施の形態にかかるサーバ関係解消機能については、この点についてのみ説明を行う。
【００７１】
本実施の形態に係るサーバ関係解消機能では、メニューボタンＢｍボタン以外のボタンが単独で、または、メニューボタンＢｍボタンと組み合わせて利用される。具体的には、穴付きボタン（細い棒しか挿通できない穴の奥側に配置されているボタン）や、初期化専用ボタン等をメニューボタンＢｍの代わりに用いる。また、メニューボタンＢｍを含めた複数のボタンが組み合わされてもよい。また、メニューボタンが存在しない場合、複数のボタンを組み合わせてメニューボタンを代替してもよい。
【００７２】
なお、ボタンの押圧下限時間やそのパターンに特に制限はない。例えば、最初のボタンの押圧下限時間を、後のボタンの押圧下限時間より短くしてもよいし、後のボタンの押圧下限時間と同じ時間にしてもよい。
【００７３】
また、本実施の形態に係るサーバ関係解消機能には、第２〜第８の実施の形態にかかるサーバ関係解消機能の例が適用されてもよい。
【００７４】
−第１０の実施の形態−
第１０の実施の形態にかかるサーバ関係解消機能は、使用するボタンでのみ第１の実施の形態にかかるサーバ関係解消機能と相違する。このため、本実施の形態にかかるサーバ関係解消機能については、この点についてのみ説明を行う。
【００７５】
本実施の形態に係るサーバ関係解消機能では、ハードウェアボタンではなくソフトウェアボタンが利用される。
【００７６】
なお、本実施の形態に係るサーバ関係解消機能には、第２〜第９の実施の形態にかかるサーバ関係解消機能の例が適用されてもよい。
【００７７】
−その他の応用例−
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。例えば、実施の形態ではリモートコントローラ付き電気機器としてリモートコントローラ付きエアコン２００を例として説明したが、本発明は、リモートコントローラが付属している他のネットワーク対応電気機器に対しても適用することができる。また、エアコンとリモートコントローラの例として、赤外線通信を行うものを挙げたが、無線通信を行うものも挙げられる。また、本実施の形態では、初期化の成功や失敗を音声でユーザＵＳに知らせているが、音やメロディーでユーザＵＳに知らせてもよいし、表示部に何らかの情報を表示することによってユーザＵＳに知らせてもよい。
【００７８】
＜まとめ＞
本発明の第１局面に係るリモートコントローラ付き電気機器（リモートコントローラ付きエアコン２００）は、電気機器（エアコン本体２０１）およびリモートコントローラ（リモートコントローラＲＭＣ）を備える。電気機器は、通信インターフェイス（通信インターフェイス２６０）および記憶部（メモリ２２０）を有する。通信インターフェイスは、通信ネットワーク（通信ネットワークＮＴＷ）を介してサーバ（サーバ１００）に通信接続可能である。記憶部には、識別情報（家電端末ＩＤ情報Ｉｈ）が記憶される。なお、この識別情報は、サーバに自機が識別されるためのものであって、過去にサーバから付与されたものであってもよいし、出荷時に付与されたものであってもよい。リモートコントローラは、電気機器に付属するものであって、上記の通信ネットワークとは異なる通信方式（例えば、赤外線通信方式や電波通信方式等）を利用して電気機器のみと通信可能なものである。そして、リモートコントローラは、特定の操作をされることによって電気機器に対するサーバの識別を不能とする。
【００７９】
上述の通り、本発明の第１局面に係るリモートコントローラ付き電気機器では、新たな所有者（ユーザＵＳ）または以前の所有者（ユーザＵＳ）等がリモートコントローラにおいて特定の操作をすることによって電気機器に対するサーバの識別を不能とする。このため、このリモートコントローラ付き電気機器の中古品を購入した新たな所有者や、このリモートコントローラ付き電気機器の中古品を譲り受けた新たな所有者は、以前の所有者がその中古品の監視制御を行うことができなくすることができる。
【００８０】
本発明の第２局面に係るリモートコントローラ付き電気機器は第１局面に係るリモートコントローラ付き電気機器であって、リモートコントローラは、ボタン（メニューボタンＢｍ）を有する。そして、特定の操作は、ボタンの長押し又は長引きである。なお、ここで、「ボタン」は、ハードウェアボタンであってもよいし、ソフトウェアボタンであってもよい。また、このボタンは、特に限定されるものではなく、押しボタン、スライドボタン等であってよい。
【００８１】
上述の通り、本発明の第２局面に係るリモートコントローラ付き電気機器では、新たな所有者または以前の所有者等がリモートコントローラにおいてボタンの長押し又は長引きをすることによって電気機器に対するサーバの識別を不能とする。このため、所有者等が、意図しないリモートコントローラの操作によって電気機器に対するサーバの識別を不能としてしまうおそれを低減することができる。
【００８２】
本発明の第３局面に係るリモートコントローラ付き電気機器は第２局面に係るリモートコントローラ付き電気機器であって、リモートコントローラは、開閉カバー（開閉カバー２２）をさらに有する。そして、ボタンは、開閉カバーにより覆い隠すことができる。
【００８３】
上述の通り、本発明の第３局面に係るリモートコントローラ付き電気機器では、開閉カバーによりボタンを覆い隠すことができる。このため、通常時においてカバーによりボタンを覆い隠しておけば、乳幼児等、操作の意味を理解できない者によって電気機器に対するサーバの識別が不能とされるおそれを低減することができる。
【００８４】
本発明の第４局面に係るリモートコントローラ付き電気機器は第２局面または第３局面に係るリモートコントローラ付き電気機器であって、特定の操作は、押し時間又は引き時間の異なるボタンの複数回の長押し又は長引きである。例えば、特定操作は、ボタンをｔ１秒押圧した後に一度ボタンを開放し、再びボタンをｔ２秒押圧するような操作をいう。
【００８５】
上述の通り、本発明の第４局面に係るリモートコントローラ付き電気機器では、新たな所有者または以前の所有者等がリモートコントローラにおいて押し時間又は引き時間の異なるボタンの複数回の長押し又は長引きをすることによって電気機器に対するサーバの識別を不能とする。このため、所有者等が、意図しないリモートコントローラの操作によって電気機器に対するサーバの識別を不能としてしまうおそれをさらに低減することができる。
【００８６】
本発明の第５局面に係るリモートコントローラ付き電気機器は第４局面に係るリモートコントローラ付き電気機器であって、通信インターフェイスは、無線ネットワークアダプタである。そして、このリモートコントローラ付き電気機器では、特定の操作前において無線ネットワークアダプタがオン状態である場合、最後の長押し前の長押し中または最後の長引き前の長引き中において無線ネットワークアダプタがオフ状態とされる。一方、特定の操作前において無線ネットワークアダプタがオフ状態である場合、最後の長押し前の長押し中または最後の長引き前の長引き中において無線ネットワークアダプタがオン状態とされる。すなわち、最後の長押し前の長押し操作または最後の長引き前の長引き操作は、無線ネットワークアダプタのオン・オフ切り換え操作と、電気機器に対するサーバの識別を不能とする確認操作とを兼ねている。
【００８７】
上述の通り、本発明の第５局面に係るリモートコントローラ付き電気機器では、最後の長押し前の長押し操作または最後の長引き前の長引き操作が、無線ネットワークアダプタのオン・オフ切り換え操作と、電気機器に対するサーバの識別を不能とする確認操作とを兼ねている。このため、リモートコントローラにおいてボタンの数をいたずらに増やさずに済む。
【００８８】
本発明の第６局面に係るリモートコントローラ付き電気機器は第５局面に係るリモートコントローラ付き電気機器であって、このリモートコントローラ付き電気機器では、特定の操作前において無線ネットワークアダプタがオフ状態である場合において無線ネットワークアダプタがオン状態とされた後、無線ネットワークアダプタと無線ルータとの接続設定通信が開始される。そして、最後の長押し中においても接続設定通信は継続的に実行される。なお、ここでは、電気機器に対するサーバの識別を不能とする処理が完了した際、無線ネットワークアダプタと無線ルータとの接続設定通信が切断される。
【００８９】
上述の通り、本発明の第６局面に係るリモートコントローラ付き電気機器では、特定の操作前において無線ネットワークアダプタがオフ状態である場合において無線ネットワークアダプタがオン状態とされた後、無線ネットワークアダプタと無線ルータとの接続設定通信が開始され、最後の長押し中においても接続設定通信は継続的に実行される。このため、このリモートコントローラ付き電気機器では、電気機器に対するサーバの識別を不能とすると同時に、無線ネットワークアダプタと無線ルータとの接続設定を実施することができる。
【符号の説明】
【００９０】
１００      サーバ
２００      エアコン（電気機器，リモートコントローラ付き電気機器）
２２０      メモリ（記憶部）
２６０      通信インターフェイス（通信インターフェイス，無線ネットワークアダプタ）
２２      開閉カバー
Ｂｍ      メニューボタン
Ｉｈ      家電端末ＩＤ情報（識別情報）
ＮＴＷ      通信ネットワーク
ＲＭＣ      リモートコントローラ
【図１】
2019068283.tif 000003
【図２】
2019068283.tif 000004
【図３】
2019068283.tif 000005
【図４】
2019068283.tif 000006
【図５】
2019068283.tif 000007
【図６】
2019068283.tif 000008
【図７】
2019068283.tif 000009
【図８】
2019068283.tif 000010
【図９】
2019068283.tif 000011
【図１０】
2019068283.tif 000012